(57)【要約】  対象に対して臨床決定支援システムにより実行される同時に実行する臨床ガイドラインを視覚化する方法は、ディスプレイ上に、グラフィカルユーザインタフェース内に第１のガイドライン窓を提示するステップであって、前記第１のガイドライン窓が前記同時に実行する臨床ガイドラインの第１のガイドラインに対応するステップと、前記ディスプレイ上に及び前記第１のガイドライン窓と同時に、前記グラフィカルユーザインタフェース内に第２のガイドライン窓を提示するステップであって、前記第２のガイドライン窓が前記同時に実行する臨床ガイドラインの第２のガイドラインに対応する情報を提示するステップとを含む。
2013542749.tif 000002
【特許請求の範囲】
【請求項１】
決定支援システムにより実行される対象に対する同時に実行する臨床ガイドラインを視覚化する方法において、
ディスプレイ上に、グラフィカルユーザインタフェース内に第１のガイドライン窓を提示するステップであって、前記第１のガイドライン窓が前記同時に実行する臨床ガイドラインの第１のガイドラインに対応する情報を提示する、当該ステップと、
前記ディスプレイ上に及び前記第１のガイドライン窓と同時に、前記グラフィカルユーザインタフェース内に第２のガイドライン窓を提示するステップであって、前記第２のガイドライン窓が前記同時に実行する臨床ガイドラインの第２のガイドラインに対応する情報を提示する、当該ステップと、
を有する方法。
【請求項２】
前記ディスプレイ上に及び前記第１又は第２のガイドライン窓の少なくとも１つと同時に、前記グラフィカルユーザインタフェース内に１以上の他のガイドラインを提示するステップであって、前記１以上の他のガイドラインが前記同時に実行する臨床ガイドラインの１以上に対応する情報をそれぞれ提示する、当該ステップ、
を有する、請求項１に記載の方法。
【請求項３】
各ガイドライン窓に関連して、前記ガイドライン窓及び対応する前記実行するガイドラインを表すユニーク識別子を提示するステップ、
を有する、請求項１又は２のいずれか一項に記載の方法。
【請求項４】
前記ユニーク識別子が、前記実行するガイドラインの色、パターン、シンボル又は名称の１以上を含む、請求項３に記載の方法。
【請求項５】
前記ディスプレイ上に、前記ガイドライン窓の少なくとも１つに対して、前記ガイドライン窓の少なくとも１つの前記実行するガイドラインに対応する他の情報を提示する補助窓を提示するステップ、
を有する、請求項１ないし４のいずれか一項に記載の方法。
【請求項６】
前記他の情報が、前記ガイドライン窓の少なくとも１つに提示されるフロー図内のタスクに対応する、請求項５に記載の方法。
【請求項７】
各補助窓に関連して、前記対応するガイドライン窓の前記ユニーク識別子を提示するステップ、
を有する、請求項５ないし６のいずれか一項に記載の方法。
【請求項８】
前記ディスプレイ上に、データ、アラート、タイマ、トゥドゥアイテム、又はユーザ選択パラメータの少なくとも１つを提示する持続性情報領域を提示するステップ、
を有する、請求項１ないし７のいずれか一項に記載の方法。
【請求項９】
前記持続性情報領域に提示される情報が、前記ＧＵＩにおいて常に可視である、請求項８に記載の方法。
【請求項１０】
前記持続性情報領域に提示される情報が、前記実行するガイドラインに関連した対象又は異なる対象に対応する、請求項８ないし９のいずれか一項に記載の方法。
【請求項１１】
同時に実行するガイドラインの中で衝突又は重複の少なくとも１つを識別するステップと、
前記衝突又は重複を示す通知を提供するステップ、
を有する、請求項１ないし１０のいずれか一項に記載の方法。
【請求項１２】
前記衝突又は重複の少なくとも１つが、２以上の同時に実行するガイドラインのゴール、命令、治療又は診断ツールの少なくとも１つの比較に基づいて識別される、請求項１１に記載の方法。
【請求項１３】
前記衝突又は重複の少なくとも１つが、オントロジに基づいて２以上の同時に実行するガイドラインのゴール、命令、治療又は診断ツールの少なくとも１つの関係又は目的の少なくとも１つを推測することにより識別される、請求項１１に記載の方法。
【請求項１４】
前記ディスプレイ上に、表示される情報に到達するために一連のイベントを示すことなしに単一の窓において、１以上のガイドラインに対するタスクのステータス、推薦された次のタスク、又は現在アクティブなガイドラインの中の現在のタスクの少なくとも１つを提示するトゥドゥ窓を提示するステップ、
を有する、請求項１ないし１３のいずれか一項に記載の方法。
【請求項１５】
情報を表示するディスプレイと、
コンピュータ実行可能命令を記憶する記憶媒体と、
少なくとも１つのガイドラインを含む知識ベースと、
前記記憶媒体内の少なくとも１つのコンピュータ実行可能命令を実行し、前記ディスプレイにより複数のガイドライン窓を含むグラフィカルユーザインタフェースを同時に提示するプロセッサであって、各ガイドライン窓が、前記プロセッサにより同時に実行される前記知識ベースの異なるガイドラインに対応する、当該プロセッサと、
を有するシステム。
【請求項１６】
前記プロセッサが、前記ディスプレイにより及び各ガイドライン窓に関連して、前記ガイドライン窓の前記ガイドラインを表すユニーク識別子を提示する、請求項１５に記載のシステム。
【請求項１７】
前記ユニーク識別子が、前記ガイドライン窓の色、パターン、シンボル、又は名称の１以上を含む、請求項１６に記載のシステム。
【請求項１８】
前記プロセッサが、前記ディスプレイにより前記ガイドライン窓の少なくとも１つに対する補助窓を提示する、請求項１５ないし１７のいずれか一項に記載のシステム。
【請求項１９】
前記補助窓が、前記ガイドライン窓の少なくとも１つにリンクされ、前記ガイドライン窓の少なくとも１つの前記実行するガイドラインに対応する他の情報を提示する、請求項１８に記載のシステム。
【請求項２０】
前記プロセッサが、前記ディスプレイにより各補助窓に関連して前記対応するガイドライン窓の前記ユニーク識別子を提示する、請求項１８ないし１９のいずれか一項に記載のシステム。
【請求項２１】
前記プロセッサが、前記ディスプレイにより、前記ＧＵＩ内のガイドラインに対してデータ、アラート、タイマ、又はトゥドゥアイテムの少なくとも１つを提示する持続性情報領域を提示する、請求項１５ないし２０のいずれか一項に記載のシステム。
【請求項２２】
前記持続性情報領域が、前記ＧＵＩにおいて常に可視である、請求項２１に記載のシステム。
【請求項２３】
前記持続性情報領域に提示される情報が、前記実行するガイドラインに関連した対象又は前記実行するガイドラインに関連しない対象に対応する、請求項２１ないし２２のいずれか一項に記載のシステム。
【請求項２４】
前記プロセッサが、前記ディスプレイにより、前記表示される情報に到達するために一連のイベントを示すことなしに単一の窓において、１以上のガイドラインに対するタスクのステータス、推薦される次のタスク、現在アクティブなガイドラインの中の現在のタスクの少なくとも１つを含むトゥドゥ窓を提示する、請求項１５ないし２３のいずれか一項に記載のシステム。
【請求項２５】
前記プロセッサが、同時に実行するガイドラインの中で衝突又は重複の少なくとも１つを識別し、前記衝突又は重複を示す通知を提供する、請求項１５ないし２４のいずれか一項に記載のシステム。
【請求項２６】
コンピュータのプロセッサにより実行される場合に、前記プロセッサに、
複数のガイドライン窓を同時に提示させ、各ガイドライン窓が異なる同時に実行する臨床ガイドラインに対応する、
コンピュータ実行可能命令を持つ符号化されたコンピュータ可読記憶媒体。
【発明の詳細な説明】
【技術分野】
【０００１】
以下は、一般には、医療情報学に関し、より具体的には、臨床決定支援（ＣＤＳ）システムに関連した臨床ガイドラインのような同時に実行するコンピュータ解釈可能ガイドラインの視覚化に関する。
【背景技術】
【０００２】
臨床決定支援（ＣＤＳ）システムは、一般に、臨床設定における意思決定を容易化するコンピュータシステムである。今日のＣＤＳシステムは、臨床決定で臨床医を支援するインタラクティブソフトウェアベースシステムを含んでいる。これは、臨床医が患者データの診断、分析、処理等を決定するのを助けるようにインタラクトすることができるインタラクティブグラフィカルユーザインタフェース（ＧＵＩ）を提示することを含んでいる。ＣＤＳシステムを用いて、臨床医は、入力を提供し、分析オプション等を選択し、前記ＣＤＳシステムは、データを処理し、提案及び／又は分析結果を提示する。臨床医は、情報を見直し、最終的に、何が有用であるかを決定し、臨床決定を行う。ＣＤＳシステムは、（治療計画を含む）前診断、間の診断、及び後診断を使用する。
【０００３】
ＣＤＳシステムは、コンピュータ解釈可能ガイドライン（ＣＩＧ）に基づいている。ヘルスケア環境において、ＣＩＧは、臨床ガイドラインを含む。一般に、臨床ガイドラインは、どのようにして特定の病気及び状態を持つ患者を最適に治療及び管理するかに関するヘルスケア専門家に対する推薦／提案の文書化されたセットである。推薦／提案は、厳密な規則であることを意図されず、臨床医又は他の公認ユーザをガイドする情報（例えば、決定オプション及び期待される結果）である。ガイドラインは、予防、診断、予後、治療等に対して存在する。臨床ガイドラインのソースは、米国医療研究・品質調査機構、米国心臓協会等のような全国的又は国際的医師会又は行政団体、及びローカルなヘルスケアプロバイダを含む。
【０００４】
従来、臨床ガイドラインは、各関心疾患に対して、ＣＤＳシステムにより、互いに独立に、順次的に実行される。不幸なことに、患者は、併存疾患を持つかもしれず、このようなＣＤＳシステムは、このような状況に適していない。
【発明の概要】
【発明が解決しようとする課題】
【０００５】
本出願の態様は、上記の及び他の問題に対処する。
【課題を解決するための手段】
【０００６】
一態様によると、対象に対して臨床決定支援システムにより実行される同時に実行する臨床ガイドラインを視覚化する方法は、ディスプレイ上に、グラフィカルユーザインタフェース内に第１のガイドライン窓を提示するステップであって、前記第１のガイドライン窓が前記同時に実行する臨床ガイドラインの第１のガイドラインに対応する情報を提示するステップと、ディスプレイ上に及び前記第１のガイドライン窓と同時に、前記グラフィカルユーザインタフェース内に第２のガイドライン窓を提示するステップであって、前記第２のガイドライン窓が前記同時に実行する臨床ガイドラインの第２のガイドラインに対応する情報を提示するステップとを含む。
【０００７】
他の態様によると、システムは、情報を表示するディスプレイと、コンピュータ実行可能命令を記憶する記憶媒体と、少なくとも１つのガイドラインを含む知識ベースとを含む。前記システムは、前記記憶媒体内の少なくとも１つのコンピュータ実行可能命令を実行し、これに応じて、複数のガイドライン窓を含むグラフィカルユーザインタフェースを前記ディスプレイにより提示するプロセッサを含む。各ガイドライン窓は、前記プロセッサにより同時に実行される前記知識ベースの異なるガイドラインに対応する。
【０００８】
他の態様は、コンピュータのプロセッサにより実行される場合に、前記プロセッサに、複数のガイドライン窓を同時に提示させる命令を持つ符号化されたコンピュータ可読記憶媒体であり、各ガイドライン窓は、異なる同時に実行する臨床ガイドラインに対応する。
【０００９】
本発明は、様々な構成要素及び構成要素の組み合わせ、並びに様々なステップ及びステップの組み合わせの形を取ることができる。図面は、好適な実施例を説明する目的のみであり、本発明を限定すると解釈されるべきではない。
【図面の簡単な説明】
【００１０】
【図１】複数の臨床ガイドラインを同時に実行し、同時に実行する複数の臨床ガイドラインに関する情報を提示するシステムの例を示す。
【図２】同時に実行する複数の臨床ガイドラインに対応する情報を提示するグラフィカルユーザインタフェース（ＧＵＩ）の例を示す。
【図３】同時に実行する複数の臨床ガイドラインに対応する情報及び持続性情報窓を提示するユーザインタフェース（ＧＵＩ）の例を示す。
【図４】同時に実行する臨床ガイドラインに関する情報を視覚化する方法の例を示す。
【発明を実施するための形態】
【００１１】
図１は、ワークステーション又はコンピュータ等のようなコンピュータシステム１００の例を示す。
【００１２】
コンピュータシステム１００は、１以上のプロセッサ１０２と、１以上のプロセッサ１０２により実行される場合に、システム１００に、臨床ガイドラインを実行することができるガイドライン主導又はベースのＣＤＳのような臨床医に対する決定支援（ＣＤＳ）を実行させるコンピュータ可読命令を持つ符号化されたコンピュータ可読記憶媒体１０４とを含む。
【００１３】
一般に、臨床ガイドラインは、どのようにして特定の病気及び／又は状態を持つ患者を最適に治療及び管理するかに関するヘルスケア専門家に対する推薦の文書化されたセットである。適切なガイドラインは、外傷、心筋梗塞、冠状動脈性心不全、胸痛、ぜんそく、心房細動、やけど、糖尿病、薬物中毒、耳痛、胃腸及び／又は他の臨床ガイドラインに向けられるが、これらに限定されない。ガイドラインは、単一の対象に固有であってもよく、及び／又は対象のグループに適用される。
【００１４】
知識ベース１０６は、前記ＣＤＳシステムにより実行されることができる少なくとも１つの臨床ガイドラインのような１以上のガイドライン１０８を含む。知識ベース１０６は、ローカルである、システム１００から遠隔である、一部ローカル及び一部遠隔である、分散される、及び／又は既知の様式で他の形に構成されることができる。
【００１５】
図示されたシステム１００は、両方のガイドラインを一つずつ又は同時に実行する。一度に１つのガイドラインを実行することに集中するシステムの例は、参照により全体的にここに組み込まれる、２００８年１１月６日に出願され、"Executable Clinical Guideline and Guideline Tool"と題されたＰＣＴ／ＩＢ２００９／０５４７７５に記載されている。複数のガイドラインを同時に実行することができるシステムの例は、参照により全体的にここに組み込まれる、２００８年１１月６日に出願され、"Method and System for Simultaneous Guideline Execution"と題されたＰＣＴ／ＩＢ２００９／０５４７７９に記載されている。
【００１６】
追跡コンポーネント１１０は、個別のガイドライン及び同時に実行するガイドラインを含むガイドラインを実行する能力を追跡するのを容易化する。追跡コンポーネント１１０は、ハードウェア及び／又はソフトウェアにより実現される。例として、追跡コンポーネント１１０は、記憶媒体１０４及び／又は他の記憶媒体内の命令を実行する１以上のプロセッサ１０２及び／又は１以上の他のプロセッサにより実現される。
【００１７】
ディスプレイ又はモニタ等のような提示コンポーネント１１２は、追跡コンポーネント１１０からの情報及び／又は他の情報を含むが、これに限定されない、前記個別のガイドライン及び同時に実行するガイドラインに対応する情報を視覚的に提示するのに使用される。以下に詳細に記載されるように、プロセッサ１０２は、記憶媒体１０４内のコンピュータ可読命令を実行し、前記命令は、提示コンポーネント１１２にインタラクティブグラフィカルユーザインタフェース（ＧＵＩ）を提示させ、前記ＧＵＩにおいて、異なる同時に実行するガイドラインに対応する情報が、前記ＧＵＩの異なる同時に提示される窓内に提示される。
【００１８】
ここで使用される、窓は、情報を提示する（又は視覚的に出力する）及び／又は入力若しくは情報を受け取る前記インタラクティブＧＵＩの視覚化エリア又は領域である。１以上の窓は、１以上の他の窓に関連して、上に重ねられる、グラフィカルに後ろに配置される、及び／又は（例えばマウス等により）周りを動くことができる。このような窓は、他の窓と独立である又は依存することができる。
【００１９】
同時に実行するガイドラインに対する同時に提示する複数の窓は、各疾患が別の特定のガイドラインに対応することができる併存疾患（一度に１より多い病気／状態）を持ちうる対象に対する臨床支援決定推薦を提供することを容易化する。これは、診断プロセスが完了するまで適切なガイドラインが既知ではない場合（例えば鑑別診断）、１以上の満足のいく結果になるまで、複数の可能性のある診断ガイドラインを並列に実行することをも可能にする。更に、ケアプロバイダは、異なる役割を持ちえ、役割に固有のガイドライン及び／又は前記ガイドライン上のビューを必要とする／好むことができ、同時に実行するガイドラインに対する同時に提示する複数の窓は、異なるガイドラインを同時に実行することを可能にする。
【００２０】
システム１００が、スタンドアロンコンピュータシステム又は複数のヘルスケア提供場所にわたり分散されたネットワークの一部でありうると理解されるべきである。
【００２１】
図２は、同時に実行するガイドラインに対応する情報を提示するグラフィカルユーザインタフェース（ＧＵＩ）２０２の例を示す。図示されるＧＵＩ２０２は、ガイドライン窓２００及びガイドライン補助（フォーム）窓２０１を含む、複数（Ｎ×Ｍ）の窓２０４（ここでＮ及びＭは１以上の整数）を含む。
【００２２】
ガイドライン窓２００は、第１の実行する臨床ガイドラインに対応する第１の窓２０６1を含む。第１の窓２０６1は、前記第１の実行するガイドラインに関する情報を提示する第１の情報領域２１０1を含む。例えば、このような情報は、前記第１の実行するガイドラインのタスク及び／又は決定及び／又は他の情報をフロー図又はチャートとして含む。
【００２３】
第１の窓２０６1は、前記第１の実行する臨床ガイドラインに対する第１のユニーク識別子を含む第１の識別領域２０８1をも含む。この例において、前記第１のユニーク識別子は、第１のユニークパターン（すなわち、垂直線）を含む。色、形状、ガイドラインの名称、前記ガイドラインを表すシンボル等のような（しかし、これらに限定されない）、追加又は代替のユニーク識別子が、使用されることができる。
【００２４】
ガイドライン窓２００は、第２の実行する臨床ガイドラインに対応し、前記第２の実行する臨床ガイドラインに対する第２のユニーク識別子を含む第２の識別領域２０８2を含む第２の窓２０６2を含む。前記第２のユニーク識別子は、前記第１のユニーク識別子とは異なる第２のユニークパターン（すなわち、斜線）を含む。第２の窓２０６2は、前記第２の実行するガイドラインに関する情報を提示する第２の情報領域２１０2をも含む。
【００２５】
Ｎ番目の窓２０６Nは、Ｎ番目の実行する臨床ガイドラインに対応し、前記Ｎ番目の実行する臨床ガイドラインに対するＮ番目のユニーク識別子を含むＮ番目の識別領域２０８Nを含む。前記Ｎ番目のユニーク識別子は、前記第１及び第２のユニーク識別子とは異なるＮ番目のユニークパターン（すなわち、クロスハッチ）を含む。Ｎ番目の窓２０６Nは、前記Ｎ番目の実行するガイドラインに関する情報を提示するＮ番目の情報領域２１０Nを含む。
【００２６】
前記第１、第２及びＮ番目のユニーク識別子は、実行するガイドラインに基づいて同時に提示されるガイドライン窓を区別することを容易化する。
【００２７】
ガイドライン補助窓２０１は、第１の窓２０６1に、したがって前記第１の実行する臨床ガイドラインに対応する第１の補助窓２１２1を含む。第１の補助窓２１２1は、前記情報を提示する第１の情報領域２１６1を含む。この実施例において、第１の情報領域２１６1は、第１の窓２０６1内のフロー図に提示されるフローブロックに対する他の情報を提示する。第１の補助窓２１２1は、補助窓２１２1と第１の窓２０６1との間の視覚的リンクを提供する、前記第１のユニーク識別子を追加された識別領域２１４1をも含む。
【００２８】
同様に、第２の、Ｉ番目の及びＫ番目の補助窓２１２2、２１２I及び２１２Kは、第１の窓２０６1に、したがって前記第１の実行する臨床ガイドラインに対応する。第１の補助窓２１２2、２１２I及び２１２Kは、第１の窓２０６1内のフロー図の他のフローブロックに対応する情報及び／又は他の情報のような情報を提示する情報領域２１６2、２１６I及び２１６Kをも含む。補助窓２１２2、２１２I及び２１２Kは、補助窓２１２2、２１２I及び２１２Kと第１の窓２０６1との間の視覚的リンクを提供する、前記第１のユニーク識別子を追加された識別領域２１４2、２１４I及び２１４Kを含む。
【００２９】
図示された実施例において、前記第２の実行するガイドライン及び対応する第２の窓２０６2に対して可視の補助窓２０１は存在しない。しかしながら、他の実施例において、補助窓２０１は、前記第２の実行するガイドライン及び対応する第２の窓２０６2に対してＧＵＩ２０２内で可視でありうる。
【００３０】
ガイドライン補助窓２０１は、Ｎ番目の窓２０６N、したがってＮ番目の実行する臨床ガイドラインに対応するＪ番目の補助窓２１８Jを含む。同様に、Ｊ番目の補助窓２１８Jは、情報領域２２２Jにおいて（Ｎ番目の窓２０６Nにおけるフロー図に提示されるフローブロックに対する）他の情報を提示し、Ｎ番目のガイドライン窓２０６NのＮ番目のユニーク識別子を含む識別領域２２０Jを持つ。
【００３１】
ガイドライン補助窓２０１は、Ｎ番目の窓２０６N、したがってＮ番目の実行する臨床ガイドラインに対応するＬ番目の補助窓２１８Lをも含む。同様に、第１の補助窓２１８Lは、情報領域２２２Lにおいて（Ｎ番目の窓２０６N内のフロー図に提示されるフローブロックに対する）他の情報を提示し、Ｎ番目のガイドライン窓２０６NのＮ番目のユニーク識別子を含む識別領域２２０Lを持つ。
【００３２】
図２を用いて、窓２０４内の前記ユニーク識別子及び前記情報領域の図示された場所が限定的ではなく、この点で、他の構成が考えられると理解されるべきである。加えて、１以上の追加領域は、窓２０４の１以上の中で規定されうる。ＧＵＩ２０２内の窓２０４の１以上が、閉じられることができ、追加のガイドライン窓２００及び／又は補助窓２０１が、開かれることができることも理解されるべきである。新しく開いた窓は、開放スロット内に自動的に配置される。開放スロットが利用可能ではない場合、ＧＵＩ２０２は、スロットを作成するようにすべての開いた窓のサイズを自動的に縮小する。同様に、窓が閉じられる場合、ＧＵＩ２０２は、利用可能な空間の使用を最大化するように全ての残りの窓を自動的に拡大する。
【００３３】
更に、窓２０４の場所及び／又は幾何構成（例えば、サイズ、形状等）は、異なることができる。例えば、前記ユーザは、ＧＵＩ２０２内で窓２０４の幾何構成を選択的にドラッグ＆ドロップ及び／又は修正することができる。更に、窓２０４が前記ＧＵＩの見える領域を越える、仮想的なＧＵＩ空間が、作成されることができる。この例において、インタラクティブスクロールバー等は、ユーザがＧＵＩ２０２の見える領域の中及び外に窓２０４を移動することを可能にするように提示されることができる。
【００３４】
図３は、ＧＵＩ２０２及び持続性（persistent）情報窓３０４を含むＧＵＩ３０２の例を示す。持続性データ窓３０４は、文脈及び／又は対象とは独立に、常に利用可能であるように、データ、アラート、タイマ、トゥドゥアイテム及び／又は他の情報を提示するのに使用される。持続性情報窓３０４内に追加される情報は、例えば、デフォルト及び／又はユーザ設定において指定された情報、及び／又はユーザによりドラッグ＆ドロップ及び／又はＧＵＩ３０２と前記ユーザとの間の他のインタラクションにより持続性情報窓３０４に手動で移動される情報（例えば、タスクパラメータ）を含む。
【００３５】
図示された実施例において、持続性情報窓３０４は、ＧＵＩ２０２の下に配置される。代わりに、持続性情報窓３０４は、別の形に、例えば、ＧＵＩ２０２の上に、ＧＵＩ２０２の横に、及び／又は他に配置されてもよい。更に、持続性情報窓３０４は、例えば、ＧＵＩ２０２をドラッグ＆ドロップすることにより、システム２００のユーザにより手動で再配置されてもよい。持続性情報窓３０４は、前記ユーザにより閉じられてもよく、その幾何構成は、前記ユーザにより変更されてもよい。
【００３６】
図４は、同時に又は一斉に実行するコンピュータ解釈可能ガイドラインを同時に視覚化するワークフロー図の例を示す。
【００３７】
以下の動作の順序が限定的ではないと理解されるべきである。そのため、この点で、他の順序が考えられる。加えて、１以上の動作が省略されてもよく、及び／又は１以上の追加の動作が含まれてもよい。
【００３８】
４０２において、臨床ガイドラインを実行及び追跡するシステム（例えば、システム１００）は、インタラクティブグラフィカルユーザインタフェース（ＧＵＩ）を提示する。前記ＧＵＩは、１以上のガイドラインを含むデフォルト又はユーザ設定に基づいてレンダリングされる。
【００３９】
４０４において、前記ＧＵＩの選択対象メニューは、利用可能な対象のリストを提示する。
【００４０】
４０６において、前記システムのユーザは、前記対象のリストから関心対象を選択する。
【００４１】
４０８において、前記ＧＵＩの持続性情報窓は、ここに記載されるように、情報を追加される。
【００４２】
４１０において、前記ＧＵＩの選択ガイドラインメニューは、利用可能なガイドラインのリストを提供する。
【００４３】
４１２において、前記システムのユーザは、前記利用可能なガイドラインのリストから関心のある第１のガイドラインを選択する。
【００４４】
４１４において、情報領域及び前記選択されたガイドラインに対応するユニークな特性を含むガイドライン窓は、前記ＧＵＩに関連して提示される。ここに記載されるように、前記ユニークな特性は、ユニークな色、パターン、シンボル又は名称等を含む。
【００４５】
４１６において、前記ＧＵＩの選択フォームメニューは、ガイドラインに対する利用可能なフォームのリストを提供する。
【００４６】
４１８において、前記システムのユーザは、前記利用可能なフォームのリストから関心のあるフォームを選択する。
【００４７】
４２０において、情報領域及び前記選択されたガイドラインに対応するユニークな特性を含むフォーム窓が、前記ＧＵＩに提示される。前記フォーム窓は、前記対応するガイドラインにリンクされ、前記対応するガイドライン、例えば、前記ガイドライン窓のフロー図のフローブロックに対応する情報を提示する。
【００４８】
４２２において、動作４１６及び４２０は、異なるフォーム窓が各選択されたフォームに対して提示される関心のある１以上のフォームに対して繰り返される。開かれたフォーム窓は、閉じられることができる。加えて、フォーム窓は、まだ開かれていないガイドラインに対して開かれることができる。この例において、前記フォーム窓は、前記ガイドラインに文脈的にリンクされることができ、ガイドライン窓は、前記フォームに対して自動的に開かれることができる。
【００４９】
４２４において、動作４１０−４２２は、各選択されたガイドラインに対するガイドライン窓が前記ＧＵＩ内に同時に提示され、異なるユニークな特性が各ガイドライン及び関連したフォームに対して使用される、１以上の関心のあるガイドラインに対して繰り返される。開かれたガイドライン窓が閉じられることができることに注意する。
【００５０】
図２及び３は、同時に実行するガイドラインに対するガイドライン窓２００及び対応する補助（フォーム）窓２０１を持つＧＵＩ２０２及び３０２の例を示す。
【００５１】
４２６において、前記ガイドライン窓及び／又は前記フォーム窓の１以上が、前記ＧＵＩ内で調整される。これは、各窓の作成中及び／又は後に行われることができる。一例において、これは、例えば、窓をドラッグ＆ドロップすることにより、前記ＧＵＩ内で窓を選択的に配置又は移動することを含む。加えて又は代わりに、これは、例えば、窓の角又は辺をクリック及びドラッグすることにより、ズームイン及びアウト等することにより、窓をリサイズすることを含む。
【００５２】
４２８において、前記提示された窓の１以上からの情報は、例えば前記情報窓内の１以上のフィールドをドラッグ＆ドロップすることにより、前記持続性情報窓に手動で含められる及び／又はリンクされる。
【００５３】
４３０において、前記ＧＵＩの決定支援メニューは、決定支援システムを起動するのに使用される。
【００５４】
４３２において、前記ＧＵＩの監査窓は、実行するガイドラインに対する追跡メッセージを提示する。
【００５５】
４３４において、前記監査窓内のメッセージが選択される場合、前記選択されたメッセージに対応する情報を持つポップアップ窓が提示される。
【００５６】
４３６において、 "トゥドゥ"窓が、部分的に終了したタスク、推薦される次のタスク、全ての現在アクティブなガイドラインの中の現在のタスク、及び／又は他の情報を含む、各ガイドラインに対するタスクのステータスを示すように起動される。前記ユニークな特性は、各ガイドラインに沿って示される。前記"トゥドゥ"窓は、表示される情報に到達するために一連のイベント（すなわち、他の窓内のグラフィカルガイドライン表現の集合）を示すことなしに１以上の窓内にこのようなデータを提示するのに使用されることができる。
【００５７】
４３８において、１以上のガイドライン及び／又はフォーム窓は、開閉されることができ、特定の対象が変更されることができ、及び／又は前記ＧＵＩは、他の形で修正される及び／又は閉じられることができる。
【００５８】
様々なアプローチが、同時に実行するガイドラインの間の衝突及び／又は重複を識別する、及び／又は前記衝突及び／又は重複を示す通知を提示するのに使用されることができる。衝突の非限定的な例は、以下のとおりである。１つのガイドラインは、（失血のため血圧を増加するように）流体の迅速な動脈内注射を推薦しうるのに対し、同時に実行するガイドラインは、（血圧を下げ、心臓に対する負担を低減するように）利尿剤を推薦しうる。
【００５９】
重複の非限定的な例は、以下のとおりである。２つの同時に実行するガイドラインが、胸部Ｘ線を推薦しうる。他の例において、１つのガイドラインは、２リットルの乳酸リンゲル液を注入することを推薦することができ、他のガイドラインは、２リットルのＤ５Ｗを注入することを推薦することができ、ここでこれら２つの異なる注文は、同じ基本的な治療ゴールに対処する。
【００６０】
衝突及び／又は重複を識別する１つのアプローチは、変数（データ）、注文、治療、診断ツール等のゴールを直接的に表す／指定するように設計時のツールを提供することを含む。これらは、実行時において比較されることができる。
【００６１】
他のアプローチは、変数（データ）、注文、治療、診断ツール等の関係及び目的を推測するのに実行時推測エンジン及び組み込みオントロジ（incorporating ontologies）を使用することを含む。例として、１つのガイドラインが血管系体積（vasculature volume）を増大させることを推薦し、同時に実行するガイドラインが血管系体積を減少させることを推薦する上記の例を用いて、前記推測エンジンは、血管系体積を増大させることを及び血管系体積を減少させることが、直接的な衝突であると結論付けることができる。前記推測エンジンは、前記システムのユーザ及び／又は前記システムに前記衝突を通知することができる。
【００６２】
本発明は、好適な実施例を参照して記載されている。修正例及び変更例は、先行する詳細な説明を読み、理解すると他者が気付きうる。本発明は、添付の請求項又は同等物の範囲に入る限り全てのこのような修正例及び変更例を含むと解釈されることを意図される。
【図１】
2013542749.tif 000003
【図２】
2013542749.tif 000004
【図３】
2013542749.tif 000005
【図４】
2013542749.tif 000006
【国際調査報告】
2013542749.tif 000007
2013542749.tif 000008
2013542749.tif 000009